(57)【要約】【課題】色成分の分布の偏りが防止される３次元の画像を表示可能な表示装置を提供する。【解決手段】表示装置３００は、液晶パネル３３０を備え、３Ｄ縦表示用の視差バリア４２１，４２２，４２３，４２４、または、３Ｄ横表示用の視差バリア４３１，４３２，４３３，４３４を形成可能であり、１つの画素は４色の異なる色成分のサブ画素（ＲＧＢＷ、ＲＧＢＹなど）で構成され、２行×２列（２サブ画素×２サブ画素）の異なる４色の色成分からなる配置構成パターンが２パターンあり、それらが横方向に配置された２行×４列（２サブ画素×４サブ画素）の配置パターンを備え、１つの配置パターンの横方向の４つのサブ画素は色成分がそれぞれ異なる。【選択図】図８
2014059350.tif 000002
【特許請求の範囲】
【請求項１】
画像表示装置であって、
３Ｄ縦表示及び３Ｄ横表示用の視差バリアを形成するための形成手段を備え、
１つの画素は、異なる４色のサブ画素で構成されており、
前記画像表示装置は、
２行×２列、すなわち、２サブ画素×２サブ画素で配置される２つの配置構成パターンを備え、
前記２つの配置構成パターンは、１つの配置パターンとして、２行×４列すなわち２サブ画素×４サブ画素のパターンで配置されており、
前記配置構成パターンの４つのサブ画素は色成分は、それぞれ異なり、
前記配置パターンの横方向の４つのサブ画素の色成分は、それぞれ異なる、画像表示装置。
【請求項２】
前記配置パターンは、複数列および複数行に形成されており、
縦方向に２行すなわち２サブ画素ずれる毎に、前記配置構成パターンは、２サブ画素分横方向にずれて配置されている、請求項１に記載の画像表示装置。
【請求項３】
いかなるサブ画素から横方向または縦方向に見ても連続する４つのサブ画素の色成分が異なる、請求項１または２に記載の画像表示装置。
【請求項４】
１画素が２列×２行のサブ画素構成を基準とした場合、２Ｄ縦横表示および３Ｄ縦横表示において、前記画像表示装置の解像度は、目視方向から見て横方向に等倍であり、縦方向に等倍である、請求項１〜３のいずれかに記載の画像表示装置。
【請求項５】
１画素が２列×２行のサブ画素構成を基準とした場合、２Ｄ縦横表示および３Ｄ縦横表示において、前記画像表示装置の解像度は、目視方向から見て横方向に２倍であり、縦方向に１／２倍である、請求項１〜３のいずれかに記載の画像表示装置。
【請求項６】
１画素が２列×２行のサブ画素構成を基準とした場合、２Ｄ縦横表示において、前記画像表示装置の解像度は、目視方向から見て横方向に１／２倍であり、縦方向に２倍である、請求項１〜３のいずれかに記載の画像表示装置。
【請求項７】
１画素が２列×２行のサブ画素構成を基準とした場合、２Ｄ縦横表示および３Ｄ縦横表示において、前記画像表示装置の解像度は、目視方向から見て横方向に２倍であり、縦方向に２倍である、請求項１〜３のいずれかに記載の画像表示装置。
【請求項８】
１画素が２列×２行のサブ画素構成を基準とした場合、３Ｄ縦横表示において、前記画像表示装置の解像度は、目視方向から見て横方向に等倍であり、縦方向に２倍である、請求項１〜３のいずれかに記載の画像表示装置。
【請求項９】
１画素が２列×２行のサブ画素構成を基準とした場合、３Ｄ縦横表示において、前記画像表示装置の解像度は、目視方向から見て横方向に２倍であり、縦方向に等倍である、請求項１〜３のいずれかに記載の画像表示装置。
【請求項１０】
前記画像表示装置において、１つのサブ画素のサンプリング元画素数を目視方向から見て横方向に３画素または縦方向に３画素または縦横方向共に３画素（計９画素）である、請求項１〜３、８および９のいずれかに記載の画像表示装置。
【請求項１１】
１つのサブ画素のサンプリング元画素数は、目視方向から見て縦方向に７画素または横方向に７画素である、請求項１〜３および７のいずれかに記載の画像表示装置。
【請求項１２】
請求項１〜１１のいずれか１項に記載の画像表示装置を備える、携帯端末。
【請求項１３】
請求項１〜１１のいずれか１項に記載の画像表示装置における表示手段として、コンピュータを動作させるための画像制御プログラム。
【請求項１４】
請求項１３に記載の画像制御プログラムを記録した、コンピュータ読み取り可能な不揮発性のデータ記録媒体。
【発明の詳細な説明】
【技術分野】
【０００１】
本発明は、表示装置における４色の画素の配置に関し、より特定的には、視差バリアを用いて立体画像を表示する表示装置における４色の画素の配置に関する。
【背景技術】
【０００２】
４色の画素を用いて画像を表示する技術が知られている。たとえば、特開２０１１−１９７５０８号公報（特許文献１）は、「縦置き時及び横置き時のいずれにおいても観察者が位置を変えることなく立体画像を視認できる表示装置３００及び電子機器」を開示している（［要約］の［課題］）。当該表示装置３００は、「略正方形状の略同じ大きさの４つのサブ画素で構成される略正方形状からなる画素を複数有する画像表示手段と、サブ画素に表示される右目用画像及び左目用画像に両目視差効果を生じさせる遮光手段と」を備える。遮光手段は、画素に対する第１の方向に沿ってバリア開口が形成される第１のバリアパターンと、第１の方向と直交する第２の方向に沿ってバリア開口が形成される第２のバリアパターンと、を有する（［要約］の［解決手段］）。
【先行技術文献】
【特許文献】
【０００３】
【特許文献１】特開２０１１−１９７５０８号公報
【発明の概要】
【発明が解決しようとする課題】
【０００４】
たとえば、特許文献１の図９に示されるサブ画素の配置では、１画素を構成する２行×２列のサブ画素が１サブ画素分だけずれた状態で配置されている。この配置による３Ｄ縦表示および３Ｄ横表示では、１画素は目視方向から縦方向に４つのサブ画素で構成されるため、縦方向の解像度が１／２となる。ここで、３Ｄ縦表示とは、携帯表示端末の画面を縦長方向にした状態で３次元の画像を表示する態様をいう。また、３Ｄ横表示とは、携帯表示端末の画面を横長方向にした状態で３次元の画像を表示する態様をいう。携帯表示端末は、携帯電話機、スマートフォン、タブレット端末その他の端末であって２次元の画像または３次元の画像を表示できる端末である。
【０００５】
しかしながら、図９のサブ画素配置では、色成分の分布が完全にランダムではなく偏りがあるという問題がある。具体的には、横方向では、どのサブ画素から見ても連続する４つのサブ画素の色成分は異なるが、縦方向では、同色が含まれている。
【０００６】
また、図９のサブ画素配置では、３Ｄ（適宜、「３次元」ともいう。）表示時（特許文献１の図１０に示される３Ｄ縦表示、図１４に示される３Ｄ横表示）のサブ画素の配列構成を、正方形（２行２列）にできないという問題がある。
【０００７】
また、１つのサブ画素を複数画素の同色成分の平均とする表示方法を実施する場合、従来の技術では、サブ画素の色分布に偏りがあるため、２Ｄ縦表示では目視方向から見て縦方向、２Ｄ横表示では目視方向から見て横方向、３Ｄ縦表示では目視方向から見て縦方向について、色分布を平均化することができない。
【０００８】
さらに、２Ｄ（適宜「２次元」ともいう。）表示のためのサブ画素の構成と、３Ｄ表示のためのサブ画素の構成とは異なるため（２行２列ではない）、２Ｄ表示と３Ｄ表示とを切り替えるための回路設計が複雑となる。
【０００９】
したがって、表示装置において色成分の分布の偏りを防止するための技術が必要とされている。表示装置においてサブ画素の配列構成を正方形にするための技術が必要とされている。表示装置において色分布を平均化するための技術が必要とされている。表示装置において２Ｄ表示と３Ｄ表示との切り替えのための回路を簡略化できる技術が必要とされている。
【００１０】
本発明は、上述のような問題点を解決するためになされたものであって、その目的は、色成分の分布の偏りが防止される表示装置を提供することである。他の局面における目的は、サブ画素の配列構成が正方形になる表示装置を提供することである。他の局面における目的は、色分布が平均化される表示装置を提供することである。さらに他の局面における目的は、２Ｄ表示と３Ｄ表示との切り替えのための回路が簡略化される表示装置を提供することである。
【課題を解決するための手段】
【００１１】
一実施の形態に従う画像表示装置は、３Ｄ縦表示及び３Ｄ横表示用の視差バリアを形成するための形成手段を備える。１つの画素は、異なる４色のサブ画素で構成されている。画像表示装置は、２行×２列、すなわち、２サブ画素×２サブ画素で配置される２つの配置構成パターンを備える。２つの配置構成パターンは、１つの配置パターンとして、２行×４列すなわち２サブ画素×４サブ画素のパターンで配置されている。配置構成パターンの４つのサブ画素は色成分は、それぞれ異なる。配置パターンの横方向の４つのサブ画素の色成分は、それぞれ異なる。
【００１２】
好ましくは、配置パターンは、複数列および複数行に形成されている。縦方向に２行すなわち２サブ画素ずれる毎に、配置構成パターンは、２サブ画素分横方向にずれて配置されている。
【００１３】
好ましくは、いかなるサブ画素から横方向または縦方向に見ても連続する４つのサブ画素の色成分が異なる。
【００１４】
好ましくは、１画素が２列×２行のサブ画素構成を基準とした場合、２Ｄ縦横表示および３Ｄ縦横表示において、画像表示装置の解像度は、目視方向から見て横方向に等倍であり、縦方向に等倍である。
【００１５】
好ましくは、１画素が２列×２行のサブ画素構成を基準とした場合、２Ｄ縦横表示および３Ｄ縦横表示において、画像表示装置の解像度は、目視方向から見て横方向に２倍であり、縦方向に１／２倍である。
【００１６】
好ましくは、１画素が２列×２行のサブ画素構成を基準とした場合、２Ｄ縦横表示において、画像表示装置の解像度は、目視方向から見て横方向に１／２倍であり、縦方向に２倍である。
【００１７】
好ましくは、１画素が２列×２行のサブ画素構成を基準とした場合、２Ｄ縦横表示および３Ｄ縦横表示において、画像表示装置の解像度は、目視方向から見て横方向に２倍であり、縦方向に２倍である。
【００１８】
好ましくは、１画素が２列×２行のサブ画素構成を基準とした場合、３Ｄ縦横表示において、画像表示装置の解像度は、目視方向から見て横方向に等倍であり、縦方向に２倍である。
【００１９】
好ましくは、１画素が２列×２行のサブ画素構成を基準とした場合、３Ｄ縦横表示において、画像表示装置の解像度は、目視方向から見て横方向に２倍であり、縦方向に等倍である。
【００２０】
好ましくは、画像表示装置において、１つのサブ画素のサンプリング元画素数は、目視方向から見て横方向に３画素または縦方向に３画素または縦横方向共に３画素（計９画素）である。
【００２１】
好ましくは、画像表示装置において、１つのサブ画素のサンプリング元画素数は、目視方向から見て縦方向に７画素または横方向に７画素である。
【００２２】
他の実施の形態に従うと、上記のいずれかに記載の画像表示装置を備える携帯端末が提供される。
【００２３】
好ましくは、上記のいずれかに記載の画像表示装置における表示手段として、コンピュータを動作させるための画像制御プログラムが提供される。
【００２４】
好ましくは、上記の画像制御プログラムを記録した、コンピュータ読み取り可能な不揮発性のデータ記録媒体が提供される。
【００２５】
この発明の上記および他の目的、特徴、局面および利点は、添付の図面と関連して理解される、この発明に関する次の詳細な説明から明らかとなるであろう。
【図面の簡単な説明】
【００２６】
【図１】表示パネル１１０とスイッチ液晶１２０と左目１３１と右目１３２との配置を表わす図である。
【図２】液晶パネル２００の構成を表わす図である。
【図３】表示装置３００のハードウェア構成の概略を表わす図である。
【図４】従来技術（特開２０１１−１９７５０８）の画素配置パターンおよび視差バリアの状態を表わす図である。
【図５】１画素が２行×２列（２サブ画素×２サブ画素）として配列される４つのサブ画素を含む場合において２次元の画像を表示する態様を表わす図である。
【図６】従来技術（特開２０１１−１９７５０８）の表示装置３００が３Ｄ縦表示モードで表示する場合における画素の配置および視差バリア形成の状態を表わす図である。
【図７】従来技術（特開２０１１−１９７５０８）の表示装置３００が３Ｄ横表示モードで画像を表示する場合における画素の配置および視差バリアの形成の状態を表わす図である。
【図８】本実施の形態における配置パターンの一例を表わす図である。
【図９】１画素が２行×２列（２サブ画素×２サブ画素）として配列される４つのサブ画素を含む場合において３Ｄ縦表示を行なう液晶パネル３３０における視差バリアの形成状態を表わす図である。
【図１０】１画素が２行×２列（２サブ画素×２サブ画素）として配列される４つのサブ画素を含む場合において３Ｄ横表示における液晶パネル３３０における視差バリアの形成状態を表わす図である。
【図１１】１画素が目視方向から見て縦方向に１列×４行として配列される４つのサブ画素を含む場合において２次元の画像を表示する態様を表わす図である。
【図１２】１画素が目視方向から見て横方向に１行×４列として配列される４つのサブ画素を含む場合において２次元の画像を表示する態様を表わす図である。
【図１３】１画素が目視方向から見て縦方向に１列×４行として配列される４つのサブ画素を含む場合において３Ｄ縦表示を行なう液晶パネル３３０における視差バリアの形成状態を表わす図である。
【図１４】１画素が目視方向から見て縦方向に１列×４行として配列される４つのサブ画素を含む場合において３Ｄ横表示を行なう液晶パネル３３０における視差バリアの形成状態を表わす図である。
【図１５】目視方向から見て縦方向に７つの参照元画素の同一色成分から算出される値に基づいて２次元の画像を表示する一態様を表わす図である。
【図１６】目視方向から見て横方向に７つの参照元画素の同一色成分から算出される値に基づいて２次元の画像を表示する一態様を表わす図である。
【図１７】目視方向から見て縦方向に７つの参照元画素の同一色成分から算出される値に基づいて３Ｄ縦表示を実現する場合における画素および視差バリアの状態を表わす図である。
【図１８】目視方向から見て縦方向に７つの参照元画素の同一色成分から算出される値に基づいて３Ｄ横表示モードで画像を表示する場合における視差バリアおよび画素の状態を表わす図である。
【図１９】表示装置３００が３Ｄ縦表示のモードである場合において、１つのサブ画素の値を目視方向から見て縦方向の３つの参照元画素の同一色成分から算出する場合を表わす図である。
【図２０】表示装置３００が３Ｄ横表示のモードである場合において、１つのサブ画素の値を目視方向から見て縦方向の３つの参照元画素の同一色成分から算出する場合を表わす図である。
【図２１】表示装置３００が３Ｄ縦表示のモードである場合において、１つのサブ画素の値を目視方向から見て横方向の３つの参照元画素の同一色成分から算出する場合を表わす図である。
【図２２】表示装置３００が３Ｄ横表示のモードである場合において、１つのサブ画素の値を目視方向から見て横方向の３つの参照元画素の同一色成分から算出する場合を表わす図である。
【図２３】表示装置３００が３Ｄ縦表示のモードである場合において、１つのサブ画素の値を目視方向から見て縦方向および横方向の９つの参照元画素の同一色成分から算出する場合を表わす図である。
【図２４】表示装置３００が３Ｄ横表示のモードである場合において、１つのサブ画素の値を目視方向から見て縦方向および横方向の９つの参照元画素の同一色成分から算出する場合を表わす図である。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
図１を参照して、視差バリアの原理について説明する。図１は、表示パネル１１０とスイッチ液晶１２０と左目（Ｌ）１３１と右目（Ｒ）１３２との配置を表わす図である。
【００２９】
ある局面において、スイッチ液晶１２０は、視差バリアの形成を指示する信号がオンまたはオフであることに基づいて、視差バリア１２１，１２２を形成しまたは形成しない。左目１３１は、視差バリア１２１，１２２などによって妨げられない画素（すなわち、表示パネル１１０における画素Ｌ）を照らす光に基づいて画像を視認する。右目１３２は、同様に、視差バリア１２１，１２２などによって妨げられない画素（すなわち、右目用の画素Ｒ）を照らす光に基づいて画像を視認する。なお、スイッチ液晶１２０の構成は、当業者が容易に理解できるものである。したがって、スイッチ液晶１２０の詳細な説明は、繰り返さない。
【００３０】
図２を参照して、視差バリア方式を実現する液晶の構造について説明する。図２は、液晶パネル２００の構成を表わす図である。
【００３１】
液晶パネル２００は、保護板２１１と、偏光板２１２と、スイッチ用の第１ガラス２１３と、スイッチ用の第１電極２１４と、スイッチ用の第２電極２１５と、スイッチ用の第２ガラス２１６と、偏光板２１７と、カラーフィルタ基板２１８と、アレイ基板２１９と、偏光板２２０と、バックライトユニット２２１とを備える。カラーフィルタ基板２１８は、カラーフィルタと、透明電極と、配向膜とを含む。アレイ基板２１９は、配向膜と、透明電極とを含む。
【００３２】
偏光板２２０は、バックライトユニット２２１の上に配置されている。アレイ基板２１９は、偏光板２２０の上に配置されている。カラーフィルタ基板２１８は、アレイ基板２１９の上に配置されている。偏光板２１７は、カラーフィルタ基板２１８の上に配置されている。スイッチ用の第２ガラス２１６は、偏光板２１７の上に配置されている。スイッチ用の第２電極２１５は、スイッチ用の第２ガラス２１６の上に配置されている。スイッチ用の第１電極２１４は、スイッチ用の第２電極２１５の上に配置されている。スイッチ用の第１ガラス２１３は、スイッチ用の第１電極２１４の上に配置されている。偏光板２１２は、スイッチ用の第１ガラス２１３の上に配置されている。保護板２１１は、偏光板２１２の上に配置されている。
【００３３】
［表示装置３００のハードウェア構成］
図３を参照して、本実施の形態に係る表示装置３００の構成について説明する。図３は、表示装置３００のハードウェア構成の概略を表わす図である。表示装置３００は、たとえば、携帯電話機、スマートフォン、タブレット端末その他の端末装置であって、２次元の画像の表示と、３次元の画像の表示とを切り替えて表示できる端末装置であるが、列挙された装置に限られない。
【００３４】
表示装置３００は、アプリケーションプロセッサ３１０と、液晶コントローラ３２０と、液晶パネル３３０とを備える。アプリケーションプロセッサ３１０は、表示インターフェイス３１１を含む。液晶コントローラ３２０は、表示インターフェイス３２１と、画像処理部３２２と、データ振分部３２３と、表示インターフェイス３２４とを含む。
【００３５】
アプリケーションプロセッサ３１０は、表示インターフェイス３１１を介してＲＧＢ信号を液晶コントローラ３２０に出力する。ＲＧＢ信号は、表示インターフェイス３２１を介して液晶コントローラ３２０に入力される。ＲＧＢ信号は、画像処理部３２２に送られる。画像処理部３２２は、１画素のＲＧＢの３色の情報を１画素の４色の情報（ＲＧＢＸ）に変換する。変換後の信号は、データ振分部３２３に入力される。
【００３６】
データ振分部３２３は、変換後の４色の情報を各表示モード（２次元表示または３次元表示および縦長画面または横長画面の組み合わせに基づくモード）に応じたデータ転送方法に振り分ける。その後、データ振分部３２３は、表示インターフェイス３２４に対して各信号を送信する。液晶コントローラ３２０から出力されるＲＧＢＸの信号は、液晶パネル３３０に入力される。
【００３７】
液晶パネル３３０は、画素配列３３１と、表示インターフェイス３３２とを含む。画素配列３３１は、複数のサブ画素（たとえば、サブ画素３４１，３４２，３４３，３４４）を含む。
【００３８】
液晶コントローラ３２０から出力された信号ＲＧＢＸは、表示インターフェイス３３２を介して液晶パネル３３０に入力される。液晶パネル３３０は、上述のデータ転送方法に従って振り分けられた信号と、当該表示モードに基づいて各画素の表示を実現する。
【００３９】
［２Ｄ縦横表示］
図４を参照して、従来技術（たとえば、特開２０１１−１９５０８号公報）２次元の（２Ｄ）縦横表示について説明する。図４は、縦長画面で表示する場合および横長画面で２次元の画像を表示できる液晶パネル３３０の画素の状態および視差バリアの状態を表わす図である。
【００４０】
ある局面において、表示装置３００が備える液晶パネル３３０は、３Ｄ縦表示用の視差バリア４２１，４２２，４２３，４２４、または、３Ｄ横表示用の視差バリア４３１，４３２，４３３，４３４を形成可能である。３Ｄ縦表示用の視差バリアと、３Ｄ横表示用の視差バリアとの形成の切り替えは、表示装置３００の画面（図示しない）の方向が縦長または横長であることに基づいて行なわれる。別の局面において、表示装置３００のユーザが、切り換えの操作を表示装置３００に与えることにより、強制的に視差バリアを形成する構成が用いられてもよい。
【００４１】
また、液晶パネル３３０は、４色のサブ画素を備える。各画素は、たとえば画素４１０，４５０のように１つの単位として規定され、各画素を構成する４つのサブ画素の色成分は異なる。画素４１０は、より具体的には、サブ画素４１１，４１２，４１３，４１４を含む。画素４５０は、サブ画素４５１，４５２，４５３，４５４を含む。
【００４２】
表示装置３００が２次元で画像を表示する場合、視差バリアの形成を指示する信号はスイッチ液晶に対して与えられず、視差バリア４２１，４２２，４２３，４２４および視差バリア４３１，４３２，４３３，４３４は形成されない。したがって、液晶パネル３３０の各画素を照射する光は、表示装置３００のユーザの左目（Ｌ）および右目（Ｒ）にそれぞれ届くので、２次元の画像がユーザによって視認される。
【００４３】
＜第１実施例＞
［２Ｄ表示（１）］
図５を参照して、他の局面における画素パターンについて説明する。図５は、２Ｄ表示（１）として用いられ得る画素パターンを表わす図である。
【００４４】
ある局面において、表示装置３００の液晶パネル３３０は、図４に示される液晶パネル３３０と同様に、３Ｄ縦表示用の視差バリア４２１，４２２，４２３，４２４、または、３Ｄ横表示用の視差バリア４３１，４３２，４３３，４３４を形成可能である。各画素は、たとえば画素８１０，８５０として構成される。たとえば、画素８１０は、Ｒ成分のサブ画素８１１と、Ｇ成分のサブ画素８１２と、Ｂ成分のサブ画素８１４と、Ｘ成分のサブ画素８１３とを含む。また、画素８５０は、Ｒ成分のサブ画素８５１と、Ｇ成分のサブ画素８５２と、Ｂ成分のサブ画素８５４と、Ｘ成分のサブ画素８５３とを含む。図５から理解されるように、画素８１０の各色成分の配置と、画素８５０の各色成分の配置とは、各成分の配列において同じである。
【００４５】
図５に示されるように画素が配置されている場合において、表示装置３００が２次元の画像を表示するとき、液晶パネル３３０は、各視差バリアを形成しない。したがって、通常の２次元の画像が表示される。
【００４６】
［３Ｄ縦表示］
図６を参照して、従来技術（たとえば、特開２０１１−１９５０８号公報）における３Ｄ縦表示における画素の配置について説明する。図６は、表示装置３００が３Ｄ縦表示モードである場合における画素の配置および視差バリアの形成の状態を表わす図である。
【００４７】
ある局面において、液晶パネル３３０は、３Ｄ縦表示用の視差バリア４２１，４２２，４２３，４２４、または、視差バリア４３１，４３２，４３３，４３４を形成可能である。液晶パネル３３０は、各画素を備える。液晶パネル３３０は、画像を３次元で表示するために、視差バリアを形成する信号が与えられると、視差バリア４２１，４２２，４２３，４２４を形成する。このとき左目用の画素は、たとえば画素群６１０として４つの（４色の）サブ画素Ｌにより規定される。一方、右目のための画素は、たとえば画素群６２０として４つのサブ画素Ｒにより規定される。ユーザは、視差バリア４２１，４２２，４２３，４２４によって妨げられない光を認識することにより、縦長方向に表示される３次元の画像を視認することができる。
【００４８】
［３Ｄ横表示］
図７を参照して、従来技術（たとえば、特開２０１１−１９５０８号公報）における３Ｄ横表示における画素の配置について説明する。図７は、表示装置３００が３Ｄ横表示モードである場合における画素の配置および視差バリアの形成の状態を表わす図である。
【００４９】
このとき、視差バリアの形成を表わす信号がスイッチ液晶に対して与えられることに基づいて、液晶パネル３３０は、３Ｄ横表示用の視差バリア４３１，４３２，４３３，４３４を形成する。表示装置３００のユーザが、３Ｄ横表示という状態で液晶パネル３３０の画面を視認する場合、ユーザは、たとえば、左目用の画素７１０と右目用の画素７２０とを視認する。画素７１０は、目視方向からみて１列×４行の態様で配置された４つの（４色の）サブ画素Ｌを含む。画素７２０も同様に、目視方向から見て１列×４行という態様で配置された４つの（４色の）サブ画素Ｒを含む。
【００５０】
［技術思想］
次に、図８を参照して、本実施の形態に係る技術思想について説明する。図８は、本実施の形態におけるサブ画素の配置パターンの一例を表わす図である。
【００５１】
液晶パネル３３０は、配置パターンとして２種類の配置構成パターンが横方向に並べて配置され、１つの配置構成パターンは、２行×２列（２サブ画素×２サブ画素）の４つの異なる色成分のサブ画素で構成されている。本配置パターンが横方向に繰り返し配置され、縦方向には２サブ画素ずれて配置されている。液晶パネル３３０は、このパターンを繰り返し有している。
【００５２】
図８（Ａ）を参照して、１つの配置構成パターン７１０Ａは、サブ画素７１１，７１２，７１３，７１４を含む。たとえば、ある局面において、サブ画素７１１は、赤色成分（Ｒ）である。サブ画素７１２は、緑色成分（Ｇ）である。サブ画素７１３は、青色成分（Ｂ）である。サブ画素７１４は、白色成分（Ｗ）である。色成分の配列はこのような配列に限られない。たとえば、別の局面において、サブ画素７１１は、赤色成分（Ｒ）である。サブ画素７１２は、青成分（Ｂ）である。サブ画素７１３は、緑成分（Ｇ）である。サブ画素７１４は、白色成分（Ｗ）である。その他の配列順序も、各サブ画素の配列に適用され得る。
【００５３】
図８（Ｂ）を参照して、液晶パネル３３０における配置パターンのサブ画素の配列は、たとえば縦方向にサブ画素１ａ，１ｄの配列として規定される。一方、横方向には、サブ画素１ａ，１ｂ，２ｃ，２ｄが、この順に配置されている。
【００５４】
図８（Ａ）と図８（Ｂ）とを参照して、ここで、サブ画素１ａ，１ｂ，１ｃ，１ｄと、サブ画素２ａ，２ｂ，２ｃ，２ｄは、各添え字ａ，ｂ，ｃ，ｄからも明らかなように、ぞれぞれ４つの異なる色成分であり、各同じ添え字は同じ色成分である。
【００５５】
本実施の形態に係る配置に従って構成された液晶パネル３３０は、どのサブ画素から見ても、連続する上下左右の４つのサブ画素の色成分が異なる配置となる。たとえば、図８（Ａ）のサブ画素のパターンをＲＧＢＸで表わすと以下のとおりとなる。
【００５６】
ＲＧＢＸＲＧＢＸ
ＸＢＧＲＸＢＧＲ
ＢＸＲＧＢＸＲＧ
ＧＲＸＢＧＲＸＢ
ＲＧＢＸＲＧＢＸ
ＸＢＧＲＸＢＧＲ
なお、サブ画素の色成分のパターンは、一例であって、各色成分の配置が上記の条件を満たすものであれば、その他のパターンが用いられてもよい。
【００５７】
［３Ｄ縦表示（１）］
図９を参照して、本実施の形態に係る表示装置３００が３Ｄ縦表示を実現する場合における画素の状態および視差バリアの形成状態について説明する。図９は、３Ｄ縦表示を行なう液晶パネル３３０における視差バリアの形成状態を表わす図である。液晶パネル３３０の１画素の構成単位は、２行のサブ画素×２列のサブ画素である。
【００５８】
ある局面において、表示装置３００の液晶パネル３３０は、３Ｄ縦表示を実現するために、視差バリアの形成を指示する信号に基づいて、視差バリア４２１，４２２，４２３，４２４を形成している。右目用の１画素９２０は、４つの異なる色成分のサブ画素Ｒを含む。左目用の１画素９１０は、４つの異なる色成分のサブ画素Ｌを含む。
【００５９】
この場合、図５に示す２Ｄ表示（１）の２Ｄ縦表示に対して、目視方向から見て各々の目に対する横方向の解像度は１／２倍となり、縦方向の解像度は同じとなる。
【００６０】
［３Ｄ横表示（１）］
図１０を参照して、本実施の形態に係る表示装置３００が３Ｄ横表示を実現する場合における画素の状態および視差バリアの形成状態について説明する。図１０は、３Ｄ横表示における液晶パネル３３０における視差バリアの形成状態を表わす図である。３Ｄ横表示とは、表示装置３００の画面が横長に維持された状態で画像を３次元で表示するモードをいう。
【００６１】
表示装置３００の動作モードが３Ｄ横表示モードである場合、表示装置３００の液晶パネル３３０は、３Ｄ横表示用の視差バリアの形成を指示する信号に基づいて、視差バリア４３１，４３２，４３３，４３４を形成している。この場合、左目用の１画素１０１０は、４つの異なる色成分のサブ画素Ｌを含む。右目用の１画素１０２０は、４つの異なる色成分のサブ画素Ｒを含む。
【００６２】
この場合、図５に示す２Ｄ表示（１）の２Ｄ横表示に対して、目視方向から見て各々の目に対する横方向の解像度は１／２倍となり、縦方向の解像度は同じとなる。
【００６３】
＜第２実施例＞
［２Ｄ表示（２）−１］
図１１を参照して、２次元の画像の表示について説明する。図１１は、１画素が、目視方向から見て縦方向に４行×１列として配列される４つの異なる色成分のサブ画素を含む場合において、２次元の画像を表示する態様を表わす図である。
【００６４】
ある局面において、表示装置３００は、その動作モードが２次元で画像を表示するモードであることに基づいて、視差バリアを形成していない。このとき、１画素１１１０は、４行×１列の４つの異なる色成分のサブ画素を含む。
【００６５】
この場合、図５に示す２Ｄ表示（１）に対して、２Ｄ縦表示および２Ｄ横表示ともに目視方向から見て各々の目に対する縦方向の解像度は１／２倍となり、横方向の解像度は２倍となる。
【００６６】
なお、図１１は、２Ｄ縦表示の場合と２Ｄ横表示の場合とをまとめて示している。２Ｄ縦表示の場合の表示の態様は、より詳しくは、たとえば、図６のようになる。２Ｄ横表示の場合の表示の態様は、より詳しくは、たとえば、図７のようになる。
【００６７】
［２Ｄ表示（２）−２］
図１２を参照して、表示装置３００が２次元の画像を表示する場合の他の態様について説明する。図１２は、１画素が、目視方向から見て１行×４列として配列される４つの異なる色成分のサブ画素を含む場合において、２次元の画像を表示する態様を表わす図である。
【００６８】
ある局面において、表示装置３００は、図１１の場合と同様に、視差バリアを形成していない。１画素１２１０は、１行×４列の４つの異なる色成分のサブ画素を含む。
【００６９】
この場合、図５に示す２Ｄ表示（１）に対して、２Ｄ縦表示および２Ｄ横表示ともに目視方向から見て各々の目に対する縦方向の解像度は２倍となり、横方向の解像度は１／２倍となる。
【００７０】
なお、図１２は、２Ｄ縦表示の場合と２Ｄ横表示の場合とをまとめて示している。２Ｄ縦表示の場合の表示の態様は、より詳しくは、たとえば、図６のようになる。２Ｄ横表示の場合の表示の態様は、より詳しくは、たとえば、図７のようになる。
【００７１】
［３Ｄ縦表示（２）］
図１３を参照して、表示装置３００が３Ｄ縦表示の動作モードで画像を表示する場合の液晶パネルの状態について説明する。図１３は、表示装置３００の画面が縦長である場合において視差バリアが形成されている状態を表わす図である。
【００７２】
ある局面において、表示装置３００は、３Ｄ縦表示を実現するために、３Ｄ縦表示用の視差バリアの形成を指示する信号に基づいて、視差バリア４２１，４２２，４２３，４２４を形成している。このとき、画素単位１３１０は、たとえば、右目用の１画素１３２０と、左目用の１画素１３３０として規定される。右目用の画素１３２０は、縦方向に１行×４列に配置される４つの異なる色成分のサブ画素を含む。同様に、左目用の画素１３３０は、縦方向に１行×４列に配置される４つの異なる色成分のサブ画素を含む。
【００７３】
この場合、図９に示す３Ｄ縦表示（１）に対して、目視方向から見て各々の目に対する縦方向の解像度は１／２倍となり、横方向の解像度は２倍となる。
【００７４】
［３Ｄ横表示（２）］
図１４を参照して、表示装置３００が３Ｄ横表示モードである場合における視差バリアおよび画素の状態について説明する。図１４は、３Ｄ横表示用の視差バリアが形成された状態を表わす図である。
【００７５】
ある局面において、表示装置３００は、３Ｄ横表示用の視差バリアの形成を指示する信号に基づいて、視差バリア４３１，４３２，４３３，４３４を形成している。
【００７６】
このとき、画素単位１４１０は、左目用の画素１４２０と、右目用の１画素１４３０とを含む。左目用の画素１４２０は、目視方向から見て１行×４列の４つの異なる色成分のサブ画素を含む。同様に、右目用の画素１４３０は、目視方向から見て１行×４列の４つの異なる色成分のサブ画素を含む。
【００７７】
この場合、図１０に示す３Ｄ横表示（１）に対して、目視方向から見て各々の目に対する縦方向の解像度は１／２倍となり、横方向の解像度は２倍となる。
【００７８】
＜第３実施例＞
［２Ｄ表示（３）−１］
図１５を参照して、２次元の画像の表示態様について説明する。図１５は、目視方向から見て縦方向に７つの画素の同色成分から表示用の１つのサブ画素の値を導出する態様を表わす図である。
【００７９】
図１５に示されるように、ある局面において、１つのサブ画素の値として、元画像の縦方向の７画素の同色成分から算出される値が用いられる。例えば、画素１５１２と画素１５１３と画素１５１４は、画素１５１１のコピーである。座標値（Ｘ０，Ｙ０）のサブ画素の値は、７つの参照元画素１５１０（１５１１，１５１２，１５１３，１５１４，１５２１，１５３１，１５４１）の同色成分から算出される。座標値（Ｘ０，Ｙ１）のサブ画素の値は７つの参照元画素１５２０（１５１１，１５１２，１５１３，１５２１，１５３１，１５４１，１５５１）の同色成分から算出され、座標値（Ｘ０，Ｙ２）のサブ画素の値は７つの参照元画素１５３０（１５１１，１５１２，１５２１，１５３１，１５４１，１５５１，１５６１）の同色成分から算出される。
【００８０】
その結果、図５に示す２Ｄ表示（１）に比べて、２Ｄ縦表示および２Ｄ横表示ともに目視方向から見て各々の目に対する縦方向の解像度は擬似的に２倍となり、横方向の解像度は２倍となる。結果として、本実施の形態によれば、図５に示す２Ｄ表示（１）に比べて、２Ｄ縦表示および２Ｄ横表示ともに擬似的に４倍の解像度が達成される。
【００８１】
ここで、参照元の画素１５１１，１５２１，１５３１，１５４１，１５５１，１５６１は、それぞれ、元画像の１画素（ＲＧＢＸ）である。図１５に示されるように、液晶パネルの１つのサブ画素は元の７画素分の同一色成分から算出することで、図５に示す２Ｄ表示（１）に比べて目視方向から見て縦方向の解像度を疑似的に２倍にすることができ、元画像の全ての色成分が欠落することなく解像度を上げることが可能となる。
【００８２】
なお、図１５は、２Ｄ縦表示の場合と２Ｄ横表示の場合とをまとめて示している。２Ｄ縦表示の場合の表示の態様は、より詳しくは、たとえば、図６のようになる。２Ｄ横表示の場合の表示の態様は、より詳しくは、たとえば、図７のようになる。
【００８３】
［２Ｄ表示（３）−２］
図１６を参照して、他の局面における２次元の画像の表示について説明する。図１６は、目視方向から見て横方向に７つの画素の同色成分から表示用の１つのサブ画素の値を導出する態様を表わす図である。
【００８４】
図１６に示されるように、ある局面において、座標値（Ｘ０，Ｙ０）のサブ画素の値は、７つの参照元画素１６１０（１６１１，１６１２，１６１３，１６１４，１６２１，１６３１，１６４１）の同色成分から算出される。例えば、画素１６１２と画素１６１３と画素１６１４は、画素１６１１のコピーである。座標値（Ｘ１，Ｙ０）のサブ画素の値は、７つの参照元画素１６２０（１６１１，１６１２，１６１３，１６２１，１６３１，１６４１，１６５１）の同色成分から算出される。座標値（Ｘ２，Ｙ０）のサブ画素の値は、７つの参照元画素１６３０（１６１１，１６１２，１６２１，１６３１，１６４１，１６５１，１６６１）の同色成分から算出される。
【００８５】
その結果、図５に示す２Ｄ表示（１）に比べて、２Ｄ縦表示および２Ｄ横表示ともに目視方向から見て各々の目に対する縦方向の解像度は２倍となり、横方向の解像度は擬似的に２倍となる。結果として本実施の形態においては、図５に示す２Ｄ表示（１）に比べて、２Ｄ縦表示および２Ｄ横表示ともに擬似的に４倍の解像度が実現される。
【００８６】
ここで、参照元の画素１６１１，１６２１，１６３１，１６４１，１６５１，１６６１は、それぞれ、元画像の１画素（ＲＧＢＸ）である。図１６に示されるように、液晶パネルの１つのサブ画素は元の７画素分の同一色成分から算出することで、図５に示す２Ｄ表示（１）に比べて目視方向から見て横方向の解像度を疑似的に２倍にすることができ、元画像の全ての色成分が欠落することなく解像度を上げることが可能となる。
【００８７】
なお、図１６は、２Ｄ縦表示の場合と２Ｄ横表示の場合とをまとめて示している。２Ｄ縦表示の場合の表示の態様は、より詳しくは、たとえば、図６のようになる。２Ｄ横表示の場合の表示の態様は、より詳しくは、たとえば、図７のようになる。
【００８８】
［３Ｄ縦表示（３）］
図１７を参照して、表示装置３００による３Ｄ縦表示の態様についてさらに説明する。図１７は、表示装置３００が３Ｄ縦表示を実現する場合における画素および視差バリアの状態を表わす図である。
【００８９】
図１７に示されるように、表示装置３００は、視差バリア４２１，４２２，４２３，４２４をオンに設定し、３次元の画像を表示できるように構成されている。このとき、座標値（Ｘ０，Ｙ０）のサブ画素の値は、７つの参照元画素１７１０（１７１１，１７１２，１７１３，１７１４，１７２１，１７３１，１７４１）の同色成分から算出される。例えば、画素１７１２と画素１７１３と画素１７１４は、画素１７１１のコピーである。座標値（Ｘ０，Ｙ１）のサブ画素の値は、７つの参照元画素１７２０（１７１１，１７１２，１７１３，１７２１，１７３１，１７４１，１７５１）、座標値（Ｘ０，Ｙ２）のサブ画素の値は、７つの参照元画素１７３０（１７１１，１７１２，１７２１，１７３１，１７４１，１７５１，１７６１）の同色成分から算出される。
【００９０】
その結果、図１７に示される３Ｄ縦表示の場合には、図９に示す３Ｄ縦表示（１）に比べて、目視方向から見て各々の目に対する縦方向の解像度は疑似的に２倍となり、横方向の解像度は２倍となる。結果として本実施の形態においては、図９に示す３Ｄ縦表示（１）に比べて、擬似的に４倍の解像度が実現される。図１７に示されるように、液晶パネルの１つのサブ画素は元の７画素分の同一色成分から算出することで、図９に示す３Ｄ縦表示（１）に比べて目視方向から見て縦方向の解像度を疑似的に２倍にすることができ、元画像の全ての色成分が欠落することなく解像度を上げることが可能となる。
【００９１】
［３Ｄ横表示（３）］
図１８を参照して、本実施の形態の他の局面について説明する。図１８は、表示装置３００が３Ｄ横表示モードで画像を表示する場合における視差バリアおよび画素の状態を表わす図である。
【００９２】
ある局面において、表示装置３００は、３次元の画像を表示するために、視差バリアの形成を指示する信号に基づいて、視差バリア４３１，４３２，４３３，４３４を形成している。このとき、座標値（Ｘ０，Ｙｎ）のサブ画素の値は、７つの参照元画素１８１０（１８１１，１８１２，１８１３，１８１４，１８２１，１８３１，１８４１）の同色成分から算出される。例えば、画素１８１２と画素１８１３と画素１８１４は、画素１８１１のコピーである。座標値（Ｘ１，Ｙｎ）のサブ画素の値は、７つの参照元画素１８２０（１８１１，１８１２，１８１３，１８２１，１８３１，１８４１，１８５１）、座標値（Ｘ２，Ｙｎ）のサブ画素の値は、７つの参照元画素１８３０（１８１１，１８１２，１８２１，１８３１，１８４１，１８５１，１８６１）の同色成分から算出される。
【００９３】
その結果、図１８に示される３Ｄ横表示の場合には、図１０に示す３Ｄ横表示（１）に比べて、目視方向から見て各々の目に対する縦方向の解像度は疑似的に２倍となり、横方向の解像度は２倍となる。結果として本実施の形態においては、図１０に示す３Ｄ横表示（１）に比べて、擬似的に４倍の解像度が実現される。図１８に示されるように、液晶パネルの１つのサブ画素は元の７画素分の同一色成分から算出することで、図１０に示す３Ｄ横表示（１）に比べて目視方向から見て縦方向の解像度を疑似的に２倍にすることができ、元画像の全ての色成分が欠落することなく解像度を上げることが可能となる。
【００９４】
＜第４実施例＞
［３Ｄ縦表示（４）−１］
図１９を参照して、本実施の形態のさらに他の局面について説明する。図１９は、表示装置３００が３Ｄ縦表示のモードである場合において、１つのサブ画素の値を目視方向から見て縦方向の３つの参照元画素の同一色成分から算出する場合を表わす図である。
【００９５】
表示装置３００は、３Ｄ縦表示のための視差バリアの形成を指示する信号に基づいて、視差バリア４２１，４２２，４２３，４２４を形成している。ここで、座標値（Ｘ０，Ｙ０）にあるサブ画素の値は、算出用の３つの参照元画素１９１０（１９１１，１９１２，１９２１）の同一色成分から算出される。例えば、参照元画素１９１２は、参照元画素１９１１のコピーである。座標値（Ｘ０，Ｙ１）にあるサブ画素の値は、算出用の３つの参照元画素１９２０（１９１１，１９２１，１９３１）の同一色成分から算出される。座標値（Ｘ０，Ｙ２）にあるサブ画素の値は、算出用の３つの参照元画素１９３０（１９２１，１９３１，１９４１）の同一色成分から算出される。
【００９６】
また、列（Ｘ２）にあるサブ画素についても列（Ｘ０）と同じ参照元画素を用いて各サブ画素に対応する色成分から算出される。
【００９７】
同様に、座標値（Ｘ４，Ｙ０）および（Ｘ６，Ｙ０）にあるサブ画素の値は、算出用の３つの参照元画素１９４０（１９４２，１９４３，１９４４）の同一色成分から算出される。例えば、参照元画素１９４２は、参照元画素１９４３のコピーである。座標値（Ｘ４，Ｙ１）および（Ｘ６，Ｙ１）にあるサブ画素の値は、算出用の３つの参照元画素１９５０（１９４３，１９４４，１９４５）の同一色成分から算出される。座標値（Ｘ４，Ｙ２）および（Ｘ６，Ｙ２）にあるサブ画素の値は、算出用の３つの参照元画素１９６０（１９４４，１９４５，１９４６）の同一色成分から算出される。
【００９８】
図１９に示される構成によると、目視方向から見ると１つのサブ画素の値は縦方向に３画素の同一色成分から算出されている。したがって、目視方向から見ると各々の目に対する縦方向の解像度は、図９に示される３Ｄ縦表示（１）に比べて擬似的に２倍の解像度が達成される。図１９に示されるように、液晶パネルの１つのサブ画素は元の３画素分の同一色成分から算出することで、図９に示す３Ｄ縦表示（１）に比べて目視方向から見て縦方向の解像度を疑似的に２倍にすることができ、元画像の全ての色成分が欠落することなく解像度を上げることが可能となる。
【００９９】
［３Ｄ横表示（４）］
図２０を参照して、本実施の形態の他の局面についてさらに説明する。図２０は、表示装置３００が３Ｄ横表示のモードである場合において、１つのサブ画素の値を目視方向から見て縦方向の３つの参照元画素の同一色成分から算出する場合を表わす図である。
【０１００】
ある局面において、表示装置３００が３Ｄ横表示のモードであるとき、表示装置３００は、３Ｄ横表示のための視差バリアの形成を指示する信号に基づいて、視差バリア４３１，４３２，４３３，４３４を形成している。例えば、座標値（Ｘ０，Ｙ（ｎ−６））および（Ｘ０，Ｙ（ｎ−４））にあるサブ画素の値は、算出用の３つの参照元画素２０１０（２０１１，２０１２，２０２１）の同一色成分から算出される。例えば、参照元画素２０１２は、参照元画素２０１１のコピーである。座標値（Ｘ１，Ｙ（ｎ−６））および（Ｘ１，Ｙ（ｎ−４））にあるサブ画素の値は、算出用の３つの参照元画素２０２０（２０１１，２０２１，２０３１）の同一色成分から算出される。座標値（Ｘ２，Ｙ（ｎ−６））および（Ｘ２，Ｙ（ｎ−４））にあるサブ画素の値は、算出用の３つの参照元画素２０３０（２０２１，２０３１，２０４１）の同一色成分から算出される。
【０１０１】
座標値（Ｘ０，Ｙ（ｎ−２））および（Ｘ０，Ｙｎ）にあるサブ画素の値は、算出用の３つの参照元画素２０４０（２０５１，２０５２，２０６１）の同一色成分から算出される。例えば、参照元画素２０５２は、参照元画素２０５１のコピーである。座標値（Ｘ１，Ｙ（ｎ−２））および（Ｘ１，Ｙｎ）にあるサブ画素の値は、算出用の３つの参照元画素２０６０（２０５１，２０６１，２０７１）の同一色成分から算出される。座標値（Ｘ２，Ｙ（ｎ−２））および（Ｘ２，Ｙｎ）にあるサブ画素の値は、算出用の３つの参照元画素２０６０（２０６１，２０７１，２０８１）の同一色成分から算出される。
【０１０２】
図２０に示される構成によると、目視方向から見ると１つのサブ画素の値は縦方向に３画素の同一色成分から算出されている。したがって、目視方向から見ると各々の目に対する縦方向の解像度は、図１０に示される３Ｄ横表示（１）に比べて擬似的に２倍の解像度が達成される。図２０に示されるように、液晶パネルの１つのサブ画素は元の３画素分の同一色成分から算出することで、図１０に示す３Ｄ横表示（１）に比べて目視方向から見て縦方向の解像度を疑似的に２倍にすることができ、元画像の全ての色成分が欠落することなく解像度を上げることが可能となる。
【０１０３】
＜第５実施例＞
［３Ｄ縦表示（５）］
図２１を参照して、本実施の形態のさらに他の局面について説明する。図２１は、表示装置３００が３Ｄ縦表示のモードである場合において、１つのサブ画素の値を目視方向から見て横方向の３つの参照元画素の同一色成分から算出する場合を表わす図である。
【０１０４】
表示装置３００は、３Ｄ縦表示のための視差バリアの形成を指示する信号に基づいて、視差バリア４２１，４２２，４２３，４２４を形成している。ここで、座標値（Ｘ０，Ｙ０）および（Ｘ０，Ｙ１）にあるサブ画素の値は、算出用の３つの参照元画素２１１０（２１１１，２１１２，２１２１）の同一色成分から算出される。例えば、参照元画素２１１２は、参照元画素２１１１のコピーである。座標値（Ｘ２，Ｙ０）および（Ｘ２，Ｙ１）にあるサブ画素の値は、算出用の３つの参照元画素２１２０（２１１１，２１２１，２１３１）の同一色成分から算出され、座標値（Ｘ４，Ｙ０）および（Ｘ４，Ｙ１）にあるサブ画素の値は、算出用の３つの参照元画素２１３０（２１２１，２１３１，２１４１）の同一色成分から算出される。
【０１０５】
また、行（Ｙ２）（Ｙ３）にあるサブ画素についても同様である。具体的には、座標値（Ｘ０，Ｙ２）および（Ｘ０，Ｙ３）にあるサブ画素の値は、算出用の３つの参照元画素２１５０（２１５１，２１５２，２１６１）の同一色成分から算出される。例えば、参照元画素２１５２は、参照元画素２１５１のコピーである。座標値（Ｘ２，Ｙ２）および（Ｘ２，Ｙ３）にあるサブ画素の値は、算出用の３つの画素２１６０（２１５１，２１６１，２１７１）の同一色成分から算出される。座標値（Ｘ４，Ｙ２）および（Ｘ４，Ｙ３）にあるサブ画素の値は、算出用の３つの画素２１７０（２１６１，２１７１，２１８１）の同一色成分から算出される。
【０１０６】
図２１に示される構成によると、目視方向から見ると１つのサブ画素の値は横方向に３画素の同一色成分から算出されている。したがって、目視方向から見ると各々の目に対する横方向の解像度は、図９に示される３Ｄ縦表示（１）に比べて擬似的に２倍の解像度が達成される。図２１に示されるように、液晶パネルの１つのサブ画素は元の３画素分の同一色成分から算出することで、図９に示す３Ｄ縦表示（１）に比べて目視方向から見て横方向の解像度を疑似的に２倍にすることができ、元画像の全ての色成分が欠落することなく解像度を上げることが可能となる。
【０１０７】
［３Ｄ横表示（５）］
図２２を参照して、本実施の形態の他の局面についてさらに説明する。図２２は、表示装置３００が３Ｄ横表示のモードである場合において、１つのサブ画素の値を目視方向から見て横方向の３つの参照元画素の同一色成分から算出する場合を表わす図である。
【０１０８】
ある局面において、表示装置３００が３Ｄ横表示のモードであるとき、表示装置３００は、３Ｄ横表示のための視差バリアの形成を指示する信号に基づいて、視差バリア４３１，４３２，４３３，４３４を形成している。ここで、座標値（Ｘ０，Ｙｎ）および（Ｘ１，Ｙｎ）にあるサブ画素の値は、算出用の３つの参照元画素２２１０（２２１１，２２１２，２２２１）の同一色成分から算出される。例えば、参照元画素２２１２は、参照元画素２２１１のコピーである。座標値（Ｘ０，Ｙ（ｎ−２））および（Ｘ１，Ｙ（ｎ−２））にあるサブ画素の値は、算出用の３つの参照元画素２２２０（２２１１，２２２１，２２３１）の同一色成分から算出される。座標値（Ｘ０，Ｙ（ｎ−４））および（Ｘ１，Ｙ（ｎ−４））にあるサブ画素の値は、算出用の３つの参照元画素２２３０（２２２１，２２３１，２２４１）の同一色成分から算出される。
【０１０９】
座標値（Ｘ２，Ｙｎ）および（Ｘ３，Ｙｎ）にあるサブ画素の値は、算出用の３つの参照元画素２２５０（２２５１，２２５２，２２６１）の同一色成分から算出される。例えば、参照元画素２２５２は、参照元画素２２５１のコピーである。座標値（Ｘ２，Ｙ（ｎ−２））および（Ｘ３，Ｙ（ｎ−２））にあるサブ画素の値は、算出用の３つの参照元画素２２６０（２２５１，２２６１，２２７１）の同一色成分から算出される。座標値（Ｘ２，Ｙ（ｎ−４））および（Ｘ３，Ｙ（ｎ−４））にあるサブ画素の値は、算出用の３つの画素２２７０（２２６１，２２７１，２２８１）の同一色成分から算出される。
【０１１０】
図２２に示される構成によると、目視方向から見ると１つのサブ画素の値は横方向に３画素の同一色成分から算出されている。したがって、目視方向から見ると各々の目に対する横方向の解像度は、図１０に示される３Ｄ横表示（１）に比べて擬似的に２倍の解像度が達成される。図２２に示されるように、液晶パネルの１つのサブ画素は元の３画素分の同一色成分から算出することで、図１０に示す３Ｄ横表示（１）に比べて目視方向から見て横方向の解像度を疑似的に２倍にすることができ、元画像の全ての色成分が欠落することなく解像度を上げることが可能となる。
【０１１１】
＜第６実施例＞
［３Ｄ縦表示（６）］
図２３を参照して、本実施の形態のさらに他の局面について説明する。図２３は、表示装置３００が３Ｄ縦表示のモードである場合において、１つのサブ画素の値を目視方向から見て横方向および縦方向の３画素×３画素の９つの参照元画素の同一色成分から算出する場合を表わす図である。
【０１１２】
表示装置３００は、３Ｄ縦表示のための視差バリアの形成を指示する信号に基づいて、視差バリア４２１，４２２，４２３，４２４を形成している。ここで、座標値（Ｘ０，Ｙ０）にあるサブ画素の値は、算出用の９つの参照元画素２３１０の同一色成分から算出される。当該参照元画素２３１０は、参照元の画素２３１１と画素２３２１と画素２３４１と画素２３５１と画素２３１２と画素２３１３と画素２３１４と画素２３２２と画素２３４２とから構成される。例えば、画素２３１２と画素２３１３と画素２３１４は画素２３１１のコピー、画素２３２２は画素２３２１のコピー、画素２３４２は画素２３４１のコピーである。
【０１１３】
座標値（Ｘ２，Ｙ０）にあるサブ画素の値は、算出用の９つの参照元画素２３２０の同一色成分から算出される。当該参照元画素２３２０は、参照元の画素２３１１と画素２３２１と画素２３４１と画素２３５１と画素２３７１と画素２３８１と画素２３１２と画素２３４２と画素２３７２とから構成される。例えば、画素２３１２は画素２３１１のコピー、画素２３４２は画素２３４１のコピー、画素２３７２は画素２３７１のコピーである。
【０１１４】
座標値（Ｘ０，Ｙ１）にあるサブ画素の値は、算出用の９つの参照元画素２３３０の同一色成分から算出される。当該参照元画素２３２０は、画素２３１１と画素２３２１と画素２３３１と画素２３４１と画素２３５１と画素２３６１と画素２３１４と画素２３２２と画素２３３２との同一色成分から算出される。例えば、画素２３１４は画素２３１１のコピー、画素２３２２は画素２３２１のコピー、画素２３３２は画素２３３１のコピーである。
【０１１５】
図２３に示される構成によると、目視方向から見ると１つのサブ画素の値は横方向および縦方向に３画素×３画素の９つの参照元画素の同一色成分から算出されている。したがって、目視方向から見ると各々の目に対する解像度は、図９に示される３Ｄ縦表示（１）に比べて横方向および縦方向ともに擬似的に２倍の解像度が達成される。結果として、図９に示される３Ｄ縦表示（１）に比べて、疑似的に４倍の解像度が実現される。図２３に示されるように、液晶パネルの１つのサブ画素は元の９画素分の同一色成分から算出することで、図９に示す３Ｄ縦表示（１）に比べて目視方向から見て縦方向および横方向の解像度を疑似的に２倍にすることができ、元画像の全ての色成分が欠落することなく解像度を上げることが可能となる。
【０１１６】
［３Ｄ横表示（６）］
図２４を参照して、本実施の形態の他の局面についてさらに説明する。図２４は、表示装置３００が３Ｄ横表示のモードである場合において、１つのサブ画素の値を目視方向から見て横方向および縦方向の３画素×３画素の９つの参照元画素の同一色成分から算出する場合を表わす図である。
【０１１７】
ある局面において、表示装置３００が３Ｄ横表示のモードであるとき、表示装置３００は、３Ｄ横表示のための視差バリアの形成を指示する信号に基づいて、視差バリア４３１，４３２，４３３，４３４を形成している。ここで、座標値（Ｘ０，Ｙｎ）にあるサブ画素の値は、算出用の９つの参照元画素２４１０の同一色成分から算出される。当該参照元画素２４１０は、参照元の画素２４１１と画素２４２１と画素２４４１と画素２４５１と画素２４１２と画素２４１３と画素２４１４と画素２４２２と画素２４４２とから構成される。例えば、画素２４１２と画素２４１３と画素２４１４は画素２４１１のコピー、画素２４２２は画素２４２１のコピー、画素２４４２は画素２４４１のコピーである。
【０１１８】
座標値（Ｘ０，Ｙ（ｎ−２））にあるサブ画素の値は、算出用の９つの参照元画素２４２０の同一色成分から算出される。当該参照元画素２４２０は、参照元の画素２４１１と画素２４２１と画素２４３１と画素２４４１と画素２４５１と画素２４６１と画素２４１４と画素２４２２と画素２４３２とから構成される。例えば、画素２４１４は画素２４１１のコピー、画素２４２２は画素２４２１のコピー、画素２４３２は画素２４３１のコピーである。
【０１１９】
座標値（Ｘ１，Ｙｎ）にあるサブ画素の値は、算出用の９つの参照元画素２４３０の同一色成分から算出される。当該参照元画素２４３０は、参照元の画素２４１１と画素２４２１と画素２４４１と画素２４５１と画素２４７１と画素２４８１と画素２４１２と画素２４４２と画素２４７２とから構成される。例えば、画素２４１２は画素２４１１のコピー、画素２４４２は画素２４４１のコピー、画素２４７２は画素２４７１のコピーである。
【０１２０】
図２４に示される構成によると、目視方向から見ると１つのサブ画素の値は横方向および縦方向に３画素×３画素の９つの参照元画素の同一色成分から算出されている。したがって、目視方向から見ると各々の目に対する解像度は、図１０に示される３Ｄ横表示（１）に比べて横方向および縦方向ともに擬似的に２倍の解像度が達成される。結果として、図１０に示される３Ｄ横表示（１）に比べて、疑似的に４倍の解像度が実現される。図２４に示されるように、液晶パネルの１つのサブ画素は元の９画素分の同一色成分から算出することで、図１０に示す３Ｄ横表示（１）に比べて目視方向から見て縦方向および横方向の解像度を疑似的に２倍にすることができ、元画像の全ての色成分が欠落することなく解像度を上げることが可能となる。
【０１２１】
＜まとめ＞
ある局面において、本実施の形態に係る表示装置３００は、３Ｄ縦表示および３Ｄ横表示ともに、サブ画素の構成を２Ｄ表示と同じ構成（たとえば、２行×２列の正方形）とすることができ、２Ｄ表示と同じ縦方向の解像度で３Ｄ表示を実現できる。
【０１２２】
また、２Ｄ表示および３Ｄ表示ともに同じ構成（２行×２列の正方形）のため、回路設計が容易になる。
【０１２３】
他の局面において、表示装置３００は、２Ｄ縦表示と２Ｄ横表示の１画素を１行×４列または４行×１列で配置されたサブ画素を有する構成としてもよい。
【０１２４】
他の局面において、表示装置３００は、３Ｄ縦表示と３Ｄ横表示の１画素を１行×４列で配置されたサブ画素を有する構成としてもよい。
【０１２５】
他の局面において、表示装置３００は、１サブ画素を複数画素の同一色成分から算出することで疑似的に解像度を上げることができる。
【０１２６】
さらに他の局面において、表示装置３００において形成される視差バリアの形状は、横方向または縦方向に沿う直線形状のため、表示装置３００の製造プロセスが複雑にならない。
【０１２７】
また、サブ画素が正方形のため、３Ｄ縦表示および３Ｄ横表示の場合における適正な視認距離が同一であるとなるため、視認性が維持される。
【０１２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２９】
１ａ，１ｄ，１ａ，１ｂ，２ａ，２ｂ，１ａ，１ｂ，１ｃ，１ｄ，２ａ，２ｂ，２ｃ，２ｄ，３ａ，３ｂ，３ｃ，３ｄ，４ａ，４ｂ，４ｃ，４ｄ，７１１，７１２，７１３，７１４  サブ画素、１１０  表示パネル、１２０  スイッチ液晶、１２１，１２２，４２１，４２２，４２３，４２４，４３１，４３２，４３３，４３４  視差バリア、１３１  左目、１３２  右目、２００  液晶パネル、２１１  保護板、２１２，２１７，２２０  偏光板、２１３  第１ガラス、２１４  第１電極、２１５  第２電極、２１６  第２ガラス、２１８  カラーフィルタ基板、２１９  アレイ基板、２２１  バックライトユニット、３００  表示装置、３１０  アプリケーションプロセッサ、３１１，３２１，３２４，３３２  表示インターフェイス、３２０  液晶コントローラ、３２２  画像処理部、３２３  データ振分部、３３０  液晶パネル、３３１  画素配列。
【図１】
2014059350.tif 000003
【図２】
2014059350.tif 000004
【図３】
2014059350.tif 000005
【図４】
2014059350.tif 000006
【図５】
2014059350.tif 000007
【図６】
2014059350.tif 000008
【図７】
2014059350.tif 000009
【図８】
2014059350.tif 000010
【図９】
2014059350.tif 000011
【図１０】
2014059350.tif 000012
【図１１】
2014059350.tif 000013
【図１２】
2014059350.tif 000014
【図１３】
2014059350.tif 000015
【図１４】
2014059350.tif 000016
【図１５】
2014059350.tif 000017
【図１６】
2014059350.tif 000018
【図１７】
2014059350.tif 000019
【図１８】
2014059350.tif 000020
【図１９】
2014059350.tif 000021
【図２０】
2014059350.tif 000022
【図２１】
2014059350.tif 000023
【図２２】
2014059350.tif 000024
【図２３】
2014059350.tif 000025
【図２４】
2014059350.tif 000026